(57)【要約】【課題】利用者が所望する編集作業をより簡単にする。【解決手段】利用者を被写体として撮影し、得られた撮影画像に対して利用者に編集入力を行わせ、編集入力により編集された撮影画像をシール紙に印刷する画像編集装置において、表示制御部は、撮影画像に合成される複数の合成用画像であって、利用者の状態に応じた合成用画像からなる合成用画像群を表示し、合成処理部は、表示された合成用画像群から、利用者によって選択された合成用画像を撮影画像に合成する。本発明は、例えば、写真シール作成装置に適用することができる。【選択図】図１１
2015034941.tif 000002
【特許請求の範囲】
【請求項１】
利用者を被写体として撮影し、得られた撮影画像に対して前記利用者に編集入力を行わせ、前記編集入力により編集された前記撮影画像をシール紙に印刷する画像編集装置であって、
前記撮影画像に合成される複数の合成用画像であって、前記利用者の状態に応じた合成用画像からなる合成用画像群を表示する表示手段と、
表示された前記合成用画像群から、前記利用者によって選択された前記合成用画像を前記撮影画像に合成する合成手段と
を備える画像編集装置。
【請求項２】
前記利用者の状態は、前記利用者の行動目的を含む
請求項１に記載の画像編集装置。
【請求項３】
前記利用者の状態は、複数の前記利用者同士の関係を含む
請求項１または２に記載の画像編集装置。
【請求項４】
前記利用者の状態は、前記利用者による前記画像編集装置の利用回数を表す
請求項１に記載の画像編集装置。
【請求項５】
前記利用者の状態は、前記利用者への質問に対する回答の候補のうち、前記利用者に選択された前記回答で表される
請求項１乃至４に記載の画像編集装置。
【請求項６】
前記表示手段は、第１の質問に対する回答の候補のうち、前記利用者に選択された第１の回答に応じた第２の質問を表示し、第２の質問に対する回答の候補のうち、前記利用者に選択された第２の回答に応じた前記合成用画像群を表示する
請求項５に記載の画像編集装置。
【請求項７】
前記利用者の状態は、前記利用者への質問に対する回答の候補のうち、前記利用者に選択された１つのみの前記回答で表される
請求項５に記載の画像編集装置。
【請求項８】
前記表示手段は、前記利用者の状態に応じた前記合成用画像のみからなる前記合成用画像群を表示する
請求項１乃至７に記載の画像編集装置。
【請求項９】
前記表示手段は、前記利用者の状態に応じた前記合成用画像のみからなる前記合成用画像群とは別に、前記利用者の状態によらない合成用画像のみからなる他の合成用画像群を表示する
請求項８に記載の画像編集装置。
【請求項１０】
利用者を被写体として撮影し、得られた撮影画像に対して前記利用者に編集入力を行わせ、前記編集入力により編集された前記撮影画像をシール紙に印刷する画像編集装置の画像編集方法であって、
前記撮影画像に合成される複数の合成用画像であって、前記利用者の状態に応じた合成用画像からなる合成用画像群を表示し、
表示された前記合成用画像群から、前記利用者によって選択された前記合成用画像を、前記撮影画像に合成する
ステップを含む画像編集方法。
【請求項１１】
利用者を被写体として撮影し、得られた撮影画像に対して前記利用者に編集入力を行わせ、前記編集入力により編集された前記撮影画像をシール紙に印刷する画像編集装置を制御するコンピュータに、
前記撮影画像に合成される複数の合成用画像であって、前記利用者の状態に応じた合成用画像からなる合成用画像群を表示し、
表示された前記合成用画像群から、前記利用者によって選択された前記合成用画像を、前記撮影画像に合成する
ステップを含む処理を実行させるプログラム。
【発明の詳細な説明】
【技術分野】
【０００１】
本発明は、画像編集装置、画像編集方法、およびプログラムに関し、特に、利用者の編集作業を簡単にすることができるようにする画像編集装置、画像編集方法、およびプログラムに関する。
【背景技術】
【０００２】
利用者を撮影し、撮影画像に対して利用者に落書き編集を行わせ、編集後の画像をシール紙に印刷して提供する写真シール機が知られている。このような写真シール機は娯楽（遊戯）施設等に設置される。写真シール機において、利用者は、撮影画像の中から編集対象となる編集対象画像を選択し、予め用意されている画像を合成したり、文字や線画を重畳することで落書き編集を行う。
【０００３】
このような写真シール機の中には、撮影時に、利用者に撮影コース（カップルコース／フレンドコース）を選択させ、選択された撮影コースに応じた編集処理を行うようにした写真シール機がある（特許文献１参照）。この写真シール機においては、例えば、カップルコースが選択された場合、男性の利用者には、簡単に編集作業が行える編集ツールが提供される。これにより、編集作業に慣れていない男性の利用者でも、簡単に編集作業を進めることができる。
【０００４】
また、利用者に編集作業を行わせる際、利用者に対して編集作業のヒントとなる質問を表示するようにした写真シール機や、利用者の嗜好に関する質問を表示し、その質問に対する利用者の回答に応じた合成用画像を表示するようにした写真シール機がある。
【先行技術文献】
【特許文献】
【０００５】
【特許文献１】特開２０１２−３７７３５号公報
【発明の概要】
【発明が解決しようとする課題】
【０００６】
しかしながら、特許文献１の写真シール機では、男性の利用者には、簡単に編集作業が行える編集ツールしか提供されないため、男性の利用者は、その範囲での編集作業しか行えなかった。
【０００７】
同様に、利用者に対して編集作業のヒントとなる質問を表示する写真シール機でも、編集作業を容易にすることはできるものの、利用者は、ヒントに従った編集作業しか行えない恐れがあった。
【０００８】
また、利用者の嗜好に関する質問に対する回答に応じた合成用画像を表示する写真シール機では、利用者の嗜好に応じた合成用画像を提供することはできるものの、編集作業自体が簡単になることはなかった。
【０００９】
本発明は、このような状況に鑑みてなされたものであり、利用者が所望する編集作業をより簡単にすることができるようにするものである。
【課題を解決するための手段】
【００１０】
本発明の一側面の画像編集装置は、利用者を被写体として撮影し、得られた撮影画像に対して前記利用者に編集入力を行わせ、前記編集入力により編集された前記撮影画像をシール紙に印刷する画像編集装置であって、前記撮影画像に合成される複数の合成用画像であって、前記利用者の状態に応じた合成用画像からなる合成用画像群を表示する表示手段と、表示された前記合成用画像群から、前記利用者によって選択された前記合成用画像を前記撮影画像に合成する合成手段とを備える。
【００１１】
前記利用者の状態は、前記利用者の行動目的を含むようにすることができる。
【００１２】
前記利用者の状態は、複数の前記利用者同士の関係を含むようにすることができる。
【００１３】
前記利用者の状態は、前記利用者による前記画像編集装置の利用回数を表すようにすることができる。
【００１４】
前記利用者の状態は、前記利用者への質問に対する回答の候補のうち、前記利用者に選択された前記回答で表されるようにすることができる。
【００１５】
前記表示手段には、第１の質問に対する回答の候補のうち、前記利用者に選択された第１の回答に応じた第２の質問を表示し、第２の質問に対する回答の候補のうち、前記利用者に選択された第２の回答に応じた前記合成用画像群を表示させることができる。
【００１６】
前記利用者の状態は、前記利用者への質問に対する回答の候補のうち、前記利用者に選択された１つのみの前記回答で表されるようにすることができる。
【００１７】
前記表示手段には、前記利用者の状態に応じた前記合成用画像のみからなる前記合成用画像群を表示させることができる。
【００１８】
前記表示手段には、前記利用者の状態に応じた前記合成用画像のみからなる前記合成用画像群とは別に、前記利用者の状態によらない合成用画像のみからなる他の合成用画像群を表示させることができる。
【００１９】
本発明の一側面の画像編集方法は、利用者を被写体として撮影し、得られた撮影画像に対して前記利用者に編集入力を行わせ、前記編集入力により編集された前記撮影画像をシール紙に印刷する画像編集装置の画像編集方法であって、前記撮影画像に合成される複数の合成用画像であって、前記利用者の状態に応じた合成用画像からなる合成用画像群を表示し、表示された前記合成用画像群から、前記利用者によって選択された前記合成用画像を、前記撮影画像に合成するステップを含む。
【００２０】
本発明の一側面のプログラムは、利用者を被写体として撮影し、得られた撮影画像に対して前記利用者に編集入力を行わせ、前記編集入力により編集された前記撮影画像をシール紙に印刷する画像編集装置を制御するコンピュータに、前記撮影画像に合成される複数の合成用画像であって、前記利用者の状態に応じた合成用画像からなる合成用画像群を表示し、表示された前記合成用画像群から、前記利用者によって選択された前記合成用画像を、前記撮影画像に合成するステップを含む処理を実行させる。
【００２１】
本発明の一側面においては、撮影画像に合成される複数の合成用画像であって、利用者の状態に応じた合成用画像からなる合成用画像群が表示され、表示された合成用画像群から、利用者によって選択された合成用画像が、撮影画像に合成される。
【発明の効果】
【００２２】
本発明によれば、利用者が所望する編集作業をより簡単にすることが可能となる。
【図面の簡単な説明】
【００２３】
【図１】本発明の一実施の形態に係る写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】背景部の構成例を示す図である。
【図６】編集ユニットの構成例を示す図である。
【図７】編集ユニットの右側面の構成例を示す図である。
【図８】編集ユニットの右側面の構成例を示す図である。
【図９】写真シール作成装置の内部の構成例を示すブロック図である。
【図１０】制御部の機能構成例を示すブロック図である。
【図１１】編集処理部の機能構成例を示すブロック図である。
【図１２】写真シール作成ゲーム処理の流れの例を説明するフローチャートである。
【図１３】編集処理について説明するフローチャートである。
【図１４】プロフ入力画面の例を示す図である。
【図１５】プロフ入力画面の例を示す図である。
【図１６】プロフ入力画面の例を示す図である。
【図１７】プロフ入力画面の例を示す図である。
【図１８】プロフ入力画面の例を示す図である。
【図１９】編集画面の例を示す図である。
【図２０】ペンパレットの例を示す図である。
【図２１】編集用パレットの例を示す図である。
【図２２】編集用パレットの例を示す図である。
【図２３】編集用パレットの例を示す図である。
【図２４】編集用パレットの例を示す図である。
【発明を実施するための形態】
【００２４】
以下、本発明を適用した具体的な実施の形態について、図面を参照しながら詳細に説明する。
【００２５】
［写真シール作成装置の外観構成］
図１は、写真シール作成装置１の外観の構成例を示す斜視図である。
【００２６】
写真シール作成装置１は撮影画像や編集画像を提供するゲーム機である。画像の提供は、シール紙に印刷した形で行われることもあるし、サーバに送信した画像を利用者の携帯端末上で閲覧可能にする形で行われることもある。写真シール作成装置１はゲームセンタなどの店舗に設置される。利用者は１人であることもあるが、主に、２人や３人以上等の複数人である。
【００２７】
写真シール作成装置１で遊ぶ利用者は、自身が被写体となって撮影を行い、撮影によって得られた撮影画像の中から選択した画像を、手書きの文字やスタンプ画像を合成して編集することにより、撮影画像を彩り豊かな画像にする。利用者は、撮影画像や編集済みの画像である編集画像が印刷されたシール紙を受け取って一連のゲームを終了させる。
【００２８】
図１に示すように、写真シール作成装置１は、基本的に、撮影ユニット１１と編集ユニット１２が接した状態で設置されることによって構成される。
【００２９】
撮影ユニット１１は、撮影部２１と背景部２２から構成される。撮影部２１と背景部２２は所定の距離だけ離れて設置され、撮影部２１と背景部２２の間に形成される空間が、撮影処理を行う撮影空間となる。
【００３０】
撮影部２１は、利用者を被写体とした撮影処理を行う装置である。撮影部２１は、撮影空間に入った利用者の正面に位置する。撮影空間に臨む撮影部２１の正面には、カメラや各種の操作に用いられるタッチパネルモニタなどが設けられる。撮影空間にいる利用者から見て右側の面を右側面、左側の面を左側面とすると、撮影部２１の右側面が側面パネル４１Ａにより構成され、左側面が側面パネル４１Ｂ（図３）により構成される。
【００３１】
背景部２２は、正面を向いて撮影を行っている利用者の背面側に位置する板状の部材である背面パネル５１、背面パネル５１の右端に取り付けられ、側面パネル４１Ａより横幅の狭い板状の部材である側面パネル５２Ａ、および、背面パネル５１の左端に取り付けられ、側面パネル４１Ｂより横幅の狭い板状の部材である側面パネル５２Ｂ（図３）から構成される。
【００３２】
撮影部２１の右側面を構成する側面パネル４１Ａと背景部２２の側面パネル５２Ａは、ほぼ同一平面に設けられる。側面パネル４１Ａと側面パネル５２Ａは、上部が板状の部材である連結部２３Ａによって連結され、下部が、床面に設けた例えば金属製の部材である連結部２３Ａ’によって連結される。撮影部２１の左側面を構成する側面パネル４１Ｂと背景部２２の側面パネル５２Ｂも同様に、ほぼ同一平面に設けられ、上部において連結部２３Ｂによって連結され、下部において、連結部２３Ｂ’（図８）によって連結される。
【００３３】
撮影部２１の側面パネル４１Ａ、連結部２３Ａ、および背景部２２の側面パネル５２Ａに囲まれることによって形成される開口が撮影空間の出入り口となる。また、撮影部２１の側面パネル４１Ｂ、連結部２３Ｂ、および背景部２２の側面パネル５２Ｂに囲まれることによって形成される開口も撮影空間の出入り口となる。
【００３４】
背景部２２の上部には、背面パネル５１、側面パネル５２Ａ、および側面パネル５２Ｂに支持される形で背景カーテンユニット２５が設けられる。背景カーテンユニット２５には、撮影によって得られる撮影画像において利用者の背景に写る所定の色の背景カーテンが収納される。背景カーテンユニット２５は、撮影と連動して、適宜、撮影空間内に、例えば緑色のクロマキー用のカーテン（以下、クロマキー用カーテンという）を下ろす。背景カーテンユニット２５による背景カーテンの上げ下ろしは、例えば撮影コースに応じて行われる。
【００３５】
なお、クロマキー用カーテンを予め撮影空間の背面となる背面パネル５１に張り付けるようにしてもよい。クロマキー用カーテンを背景として撮影が行われる場合には、合成用の背景画像を複数種類用意し、撮影処理や編集処理においてクロマキー処理を行うことで、利用者が所望する背景画像をカーテンの部分に合成することができるようにする。
【００３６】
撮影空間の上方には、撮影部２１の正面、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて光を照射するストロボを内蔵する。天井ストロボユニット２４の内部には、ストロボの他に蛍光灯が設けられており、撮影空間の照明としても機能する。
【００３７】
編集ユニット１２は、撮影画像の編集処理を行う装置である。編集ユニット１２は、一方の側面が撮影部２１の背面に接するように撮影ユニット１１に連結して設けられる。
【００３８】
図１に一部が見える編集ユニット１２の構成を正面側の構成とすると、２組の利用者が同時に編集を行うことができるように、編集ユニット１２の正面側と背面側には編集に用いられる構成がそれぞれ設けられる。
【００３９】
編集ユニット１２の正面側は、床面に対して垂直な面であり、撮影部２１の側面パネル４１Ａとほぼ平行な面である面７１と、面７１の上方に形成された斜面７２から構成される。斜面７２には、編集作業に用いられる構成が設けられる。斜面７２の右側には、照明装置７４の一端を支持する柱状の支持部７３Ａが設けられる。斜面７２の左側にも、照明装置７４の他端を支持する柱状の支持部７３Ｂ（図２）が設けられる。支持部７３Ａの右側には、編集ユニット１２の側面を構成する板状のパネル７３Ｃが設けられる。パネル７３Ｃの上面にはカーテンレール２６を支持する支持部７５が設けられる。
【００４０】
編集ユニット１２の上方にはカーテンレール２６が取り付けられる。カーテンレール２６は、３本のレール２６Ａ乃至２６Ｃを、上から見たときの形状がコの字状となるように組み合わせることによって構成される。平行に設けられるレール２６Ａと２６Ｂの一端は、連結部２３Ａと連結部２３Ｂにそれぞれ固定され、他端にレール２６Ｃの両端が接合される。
【００４１】
カーテンレール２６には、編集ユニット１２の正面前方の空間と背面前方の空間の内部が外から見えないようにカーテンが取り付けられる。カーテンレール２６に取り付けられたカーテンにより囲まれる編集ユニット１２の正面前方の空間と背面前方の空間が、利用者が撮影画像の編集を行う編集空間となる。
【００４２】
図２は、写真シール作成装置１の他の斜視図である。
【００４３】
後に詳述するが、編集ユニット１２の右側面には、タブレット内蔵モニタや印刷済みのシール紙が排出される排出口などが設けられる。編集ユニット１２の側面に設けられるタブレット内蔵モニタは、画像の印刷が終わるのを待っている利用者が事後接客機能を利用するときに用いられる。事後接客機能には、撮影画像や編集画像をサーバに送信する機能、ミニゲームの機能などが含まれる。編集ユニット１２の右側面前方の空間が、利用者が事後接客機能を利用する事後接客空間となる。
【００４４】
ここで、写真シール作成ゲームの流れと、それに伴う利用者の移動について説明する。図３は、写真シール作成装置１を上から見た平面図である。
【００４５】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影を行う。出入り口Ｇ１は側面パネル４１Ａと側面パネル５２Ａの間の開口であり、出入り口Ｇ２は側面パネル４１Ｂと側面パネル５２Ｂの間の開口である。
【００４６】
撮影を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４７】
編集空間Ａ２−１は、編集ユニット１２の正面側の編集空間であり、編集空間Ａ２−２は、編集ユニット１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方が移動先として案内される。編集空間Ａ２−１または編集空間Ａ２−２に移動した利用者は撮影画像の編集を開始する。編集空間Ａ２−１の利用者と、編集空間Ａ２−２の利用者は同時に編集を行うことができる。
【００４８】
編集が終了した後、撮影画像や編集画像の印刷が開始される。画像の印刷中、編集空間Ａ２−１での編集を終えた利用者は、白抜き矢印＃５で示すように編集空間Ａ２−１から事後接客空間Ａ３に移動して事後接客機能を利用する。また、編集空間Ａ２−２での編集を終えた利用者は、白抜き矢印＃６で示すように編集空間Ａ２−２から事後接客空間Ａ３に移動して事後接客機能を利用する。
【００４９】
画像の印刷が終了したとき、利用者は、編集ユニット１２の右側面に設けられた排出口からシール紙を受け取り、一連の写真シール作成ゲームを終えることになる。
【００５０】
次に、各装置の構成について説明する。
【００５１】
［撮影部の構成］
図４は、撮影部２１の正面の構成例を示す図である。撮影部２１は、側面パネル４１Ａ、側面パネル４１Ｂ、および正面パネル４２が、箱状の形状を有するベース部４３に取り付けられることによって構成される。
【００５２】
正面パネル４２の中央には、上底：下底の比を略１：５とし、下底の長さが正面パネル４２の横幅と同じ長さの等脚台形を上下逆様にした面を有する凸部８１が形成される。凸部８１のほぼ中央にはカメラユニット９１が設けられ、カメラユニット９１の下にタッチパネルモニタ９２が設けられる。カメラユニット９１は、カメラ１０１と正面ストロボ１０２から構成される。
【００５３】
カメラ１０１は、例えば一眼レフカメラであり、レンズが露出するようにカメラユニット９１の内部に取り付けられる。カメラ１０１はCCD(Charge Coupled Device)などの撮像素子を有し、撮影空間Ａ１にいる利用者を撮影する。カメラ１０１により取り込まれた動画像はタッチパネルモニタ９２にリアルタイムで表示される。利用者により撮影が指示されたときなどの所定のタイミングでカメラ１０１により取り込まれた静止画は撮影画像として保存される。
【００５４】
カメラ１０１の上に設けられた正面ストロボ１０２は、乳白アクリル板よりなる横長長方形の発光面を有する。正面ストロボ１０２は、カメラ１０１による撮影に合わせて発光することで、被写体としての利用者の顔付近を正面から照射する。
【００５５】
なお、正面ストロボ１０２の発光面として設けられる乳白アクリル板としては、透明度の高いものが用いられる。これにより、正面ストロボ１０２の発光による光の拡散度合いを、乳白アクリル板として透明度の低いものを用いた場合と比べて抑えることができ、利用者に対してより多くの光を照射することができる。
【００５６】
カメラユニット９１の下に設けられたタッチパネルモニタ９２は、LCD(Liquid Crystal Display)などのモニタと、それに積層されたタッチパネルにより構成される。タッチパネルモニタ９２は、カメラ１０１により取り込まれた動画像を表示するライブビューモニタとしての機能と、各種のGUI(Graphical User Interface)を表示し、利用者の選択操作を受け付ける機能を備えている。タッチパネルモニタ９２には、カメラ１０１により取り込まれた動画像（ライブビュー）や撮影画像が表示される。
【００５７】
カメラユニット９１の上方には、曲面の発光面を利用者に向けた上ストロボ１１１が設置される。上ストロボ１１１は、カメラ１０１による撮影に合わせて発光することで、上方から利用者を照射する。
【００５８】
ベース部４３の中央には利用者の下半身および足元を照射する足元ストロボ１１２が設けられ、足元ストロボ１１２の垂直面の右側には、利用者が硬貨を入れる硬貨投入返却口１１４が設けられる。
【００５９】
ベース部４３の上面には、足元ストロボ１１２の上面を挟んでスペース１１３Ａ，１１３Ｂが左右に形成される。スペース１１３Ａ，１１３Ｂは、撮影を行う利用者が手荷物等を置くための荷物置き場として用いられる。正面パネル４２の例えば天井付近には、撮影処理の案内音声、BGM(Back Ground Music)、効果音等の音を出力するスピーカも設けられる。
【００６０】
［背景部の構成］
図５は、背景部２２の撮影空間Ａ１側の構成例を示す図である。
【００６１】
上述したように、背面パネル５１の上方には背景カーテンユニット２５が設けられる。
【００６２】
背面パネル５１の、出入り口Ｇ１側（図中、左側）の上方には、撮影空間Ａ１内で撮影処理を行っている利用者を右後方から照射する背面右ストロボ１２１が取り付けられる。また、背面パネル５１の、出入り口Ｇ２側（図中、右側）の上方には、撮影空間Ａ１内で撮影処理を行っている利用者を左後方から照射する背面左ストロボ１２２が取り付けられる。
【００６３】
さらに、背面パネル５１の撮影空間Ａ１側（図中、手前側）の面には、背面カーテン１２３が張り付けられる。背面カーテン１２３の色は、ファッション雑誌等のモデルの撮影が行われるスタジオ等と同様に、白色系の色とされる。これにより、撮影によって得られる撮影画像において、被写体の背景に影がつきやすくなり、立体感が強調されるようになる。ここで、白色系の色には、白色はもちろん、白色に近い色（具体的には、白色に近いグレーや、白色に近い青みがかったグレーなどといった色）も含まれるものとする。
【００６４】
本発明の写真シール作成装置１による写真シール作成ゲームにおいては、後述するように、クロマキー処理を施すための撮影と、クロマキー処理を施さない撮影とが行われるので、背面カーテン１２３の色とクロマキー用カーテンの色とを異なる色にすることで、それぞれの目的にあった撮影を行うことができる。
【００６５】
［編集ユニットの構成］
図６は、編集ユニット１２の正面側（編集空間Ａ２−１側）の構成例を示す図である。
【００６６】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６７】
タブレット内蔵モニタ１３１は、タッチペン１３２Ａまたはタッチペン１３２Ｂを用いて操作入力が可能なタブレットがLCDなどのモニタに重畳して設けられることによって構成される。タブレット内蔵モニタ１３１には例えば編集画面が表示される。編集画面は撮影画像の編集に用いられる画面である。２人で同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００６８】
図７、図８は、編集ユニット１２の右側面の構成例を示す図である。
【００６９】
編集ユニット１２の右側面にはタブレット内蔵モニタ１６１が設けられる。タブレット内蔵モニタ１６１には、事後接客機能を利用するときに用いられる画面が表示される。
【００７０】
タブレット内蔵モニタ１６１の下にはシール紙排出口１６２が設けられる。編集ユニット１２の内部にはプリンタが設けられており、編集空間Ａ２−１の利用者が写る画像、または、編集空間Ａ２−２の利用者が写る画像が所定のレイアウトでシール紙に印刷され、シール紙排出口１６２から排出される。シール紙排出口１６２の下には、事後接客機能の案内音声、BGM、効果音等などを出力するスピーカ１６３が設けられる。
【００７１】
［写真シール作成装置の内部構成］
図９は、写真シール作成装置１の内部の構成例を示すブロック図である。上述した構成と同じ構成には同じ符号を付してある。重複する説明については適宜省略する。
【００７２】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９Ａ、編集部２０９Ｂ、および事後接客部２１０の各構成も接続される。
【００７３】
記憶部２０２は、ハードディスクやフラッシュメモリなどの不揮発性の記憶媒体からなり、制御部２０１から供給された各種の設定情報等を記憶する。記憶部２０２に記憶されている情報は制御部２０１により適宜読み出される。
【００７４】
通信部２０３は、インターネットなどのネットワークのインタフェースであり、制御部２０１による制御に従って外部の装置と通信を行う。通信部２０３は、例えば撮影画像や編集画像をサーバに送信する。通信部２０３から送信された画像は、サーバにおいて所定のURLの記憶領域が割り当てられて保存され、アクセスしてきた携帯端末のディスプレイに表示される。
【００７５】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００７６】
ROM２０６には、制御部２０１において実行されるプログラムやデータが記憶されている。RAM２０７は、制御部２０１が処理するデータやプログラムを一時的に記憶する。
【００７７】
撮影部２０８は、撮影空間Ａ１にいる利用者を対象とした撮影処理を行う。撮影部２０８は、硬貨処理部２２１、背景制御部２２２、照明装置２２３、カメラ１０１、タッチパネルモニタ９２、およびスピーカ２２４から構成される。
【００７８】
硬貨処理部２２１は、硬貨投入返却口１１４に対する硬貨の投入を検出する。硬貨処理部２２１は、例えば４００円などの所定の金額分の硬貨が投入されたことを検出した場合、そのことを表す起動信号を制御部２０１に出力する。
【００７９】
背景制御部２２２は、制御部２０１から供給される背景制御信号に従って背景カーテンユニット２５による背景カーテン（クロマキー用カーテン）の上げ下ろしを制御する。
【００８０】
照明装置２２３は、撮影空間Ａ１内の各ストロボであり、制御部２０１から供給される照明制御信号に従って発光する。撮影空間Ａ１には、天井ストロボユニット２４のストロボの他に、撮影部２１の正面ストロボ１０２、上ストロボ１１１、足元ストロボ１１２、背景部２２の背面右ストロボ１２１、背面左ストロボ１２２が設けられる。
【００８１】
カメラ１０１は、制御部２０１による制御に従って撮影を行い、撮影によって得られた画像を制御部２０１に出力する。
【００８２】
編集部２０９Ａは、編集空間Ａ２−１にいる利用者を対象とした編集処理を行う。編集部２０９Ａは、タブレット内蔵モニタ１３１、タッチペン１３２Ａ，１３２Ｂ、およびスピーカ２３１から構成される。編集部２０９Ｂは、編集部２０９Ａと同一の構成を有しており、編集空間Ａ２−２にいる利用者を対象とした編集処理を行う。
【００８３】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００８４】
事後接客部２１０は、事後接客空間Ａ３にいる利用者を対象とした事後接客処理を行う。事後接客処理は、事後接客機能を利用者に提供する処理である。事後接客部２１０は、タブレット内蔵モニタ１６１、スピーカ１６３、およびプリンタ２４１から構成される。プリンタ２４１にはシール紙ユニット２４２が装着される。
【００８５】
プリンタ２４１は、制御部２０１から供給された印刷データに基づいて、撮影画像や編集画像をシール紙ユニット２４２に収納されているシール紙に印刷し、シール紙排出口１６２に排出する。
【００８６】
［制御部の構成］
図１０は、制御部２０１の機能構成例を示すブロック図である。図１０に示す機能部のうちの少なくとも一部は、制御部２０１内のCPUにより所定のプログラムが実行されることによって実現される。
【００８７】
制御部２０１においては、撮影処理部３０１、編集処理部３０２、印刷処理部３０３、および事後接客処理部３０４が実現される。
【００８８】
撮影処理部３０１は、撮影部２０８の各部を制御し、写真シール作成装置１を利用する際に投入される代金に関する処理を含む事前接客処理や撮影処理を行う。編集処理部３０２は、編集部２０９Ａ、編集部２０９Ｂの各部を制御し、編集処理を行う。印刷処理部３０３は、事後接客部２１０のプリンタ２４１を制御し、印刷処理を行う。事後接客処理部３０４は、事後接客部２１０のタブレット内蔵モニタ１６１を制御するなどして事後接客処理を行う。
【００８９】
［編集処理部の構成例］
図１１は、編集処理部３０２の機能構成例を示すブロック図である。写真シール作成装置１は、編集処理部３０２の動作により、画像編集装置として機能する。
【００９０】
編集処理部３０２は、編集処理を行うことで、撮影処理により得られた撮影画像を編集対象画像として利用者に選択させ、選択された編集対象画像に合成する合成用画像を利用者に選択させ、選択された合成用画像を編集対象画像に合成し、得られた合成画像を編集済み画像として出力する。
【００９１】
ここで、合成用画像には、利用者による描画入力の描画軌跡に対応して合成される線からなる画像であるペン画像、撮影画像の任意の位置に合成される図形や文字等の画像であるスタンプ画像、撮影画像の予め定められた位置に合成される図柄や模様等の画像であるフレーム画像が含まれる。すなわち、編集処理部３０２は、利用者による編集入力に基づいて、撮影画像に対してペン画像やスタンプ画像、フレーム画像を合成することで、合成画像を生成する。これらの合成用画像は、記憶部２０２に記憶されている。なお、以下においては、これらの合成用画像を、適宜、編集ツールともいう。
【００９２】
編集処理部３０２は、表示制御部３１１、入力受付部３１２、および合成処理部３１３から構成される。
【００９３】
表示制御部３１１は、編集部２０９Ａ，２０９Ｂにおけるタブレット内蔵モニタ１３１の表示を制御する。例えば、表示制御部３１１は、撮影画像を、編集入力の対象となる編集対象画像として、タブレット内蔵モニタ１３１に表示される編集画面の所定の領域に表示させるとともに、編集画面において、編集対象画像に合成される複数の合成用画像からなる合成用画像群を、後述する編集用パレットに表示させる。
【００９４】
このとき、表示制御部３１１は、必要に応じて、合成用画像として、利用者の状態に応じた合成用画像を、編集用パレットに表示させる。ここで、利用者の状態とは、例えば、利用者は、誰と写真シール作成装置１で遊んでいるか（利用者同士の関係）、どのような目的で遊びにきたのか（利用者の行動目的）等、写真シール作成装置１利用時の利用者の状態を表す。
【００９５】
入力受付部３１２は、タブレット内蔵モニタ１３１に対する、利用者によるタッチペン１３２Ａ，１３２Ｂを用いた操作入力を受け付ける。例えば、入力受付部３１２は、編集用パレットに表示された合成用画像群から、編集対象画像に合成される合成用画像の選択を受け付ける。
【００９６】
合成処理部３１３は、編集用パレットに表示された合成用画像群から、利用者によって選択された合成用画像を編集対象画像に合成する合成処理を行う。
【００９７】
［写真シール作成装置の動作］
次に、写真シール作成装置１の動作について説明する。
【００９８】
はじめに、図１２のフローチャートを参照して、写真シール作成ゲームを提供する写真シール作成装置１の処理について説明する。
【００９９】
ステップＳ１において、写真シール作成装置１の撮影処理部３０１は、所定の金額分の硬貨が投入されたか否かを硬貨処理部２２１から供給される信号に基づいて判定し、投入されたと判定するまで待機する。このとき、撮影処理部３０１は、撮影空間Ａ１にいる利用者に対して、写真シール作成ゲームのイメージ動画やガイダンスを流す事前接客処理を行うようにしてもよい。事前接客処理は、タッチパネルモニタ９２に画面を表示させることによって、または音声をスピーカ２２４から出力させることによって行われる。
【０１００】
硬貨が投入されたとステップＳ１において判定された場合、ステップＳ２において、撮影処理部３０１は撮影処理を行う。撮影処理においては、撮影空間Ａ１にいる利用者を被写体として撮影が行われる。
【０１０１】
撮影処理の詳細な説明は省略するが、撮影処理においては、利用者に選択された撮影コースに応じた撮影が行われる。撮影コースとしては、利用者をかわいくきれいに写すためのbeautyコースと、利用者をよりおしゃれに写すためのedgyコースとが用意されている。
【０１０２】
撮影コースとして、beautyコースが選択された場合、撮影処理部３０１は、背景カーテンユニット２５にクロマキー用カーテンを下ろさせて、撮影画像にクロマキー処理を施すための撮影を行い、edgyコースが選択された場合、撮影処理部３０１は、背景カーテンユニット２５にクロマキー用カーテンを下ろさせず上げた状態のまま、クロマキー処理を施すことを前提としない撮影を行う。
【０１０３】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、タッチパネルモニタ９２に画面を表示させることによって、または音声をスピーカ２２４から出力させることによって行われる。
【０１０４】
ステップＳ４において、編集処理部３０２は、編集空間Ａ２−１と編集空間Ａ２−２のうち、撮影処理を終えた利用者の移動先とした方の編集空間に対応する編集部２０９Ａまたは編集部２０９Ｂを制御して編集処理を行う。編集処理の詳細については、図１３のフローチャートを参照して後述する。
【０１０５】
ステップＳ５において、編集処理部３０２は、編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１０６】
ステップＳ６において、印刷処理部３０３は印刷処理を行う。印刷処理により、撮影画像や編集画像が、利用者により選択されたレイアウトに従ってシール紙に印刷される。
【０１０７】
ステップＳ７において、事後接客処理部３０４は、印刷が終わるのを待っている利用者に対する事後接客処理を行う。事後接客処理部３０４は、撮影画像や編集画像を携帯端末に送信する処理などを事後接客処理として行う。
【０１０８】
印刷が終了した場合、ステップＳ８において、事後接客処理部３０４は、画像が印刷されたシール紙をシール紙排出口１６２から排出させ、処理を終了する。
【０１０９】
［編集処理の詳細］
次に、図１３のフローチャートを参照して、図１２のステップＳ４において行われる編集処理の詳細について説明する。
【０１１０】
ステップＳ５１において、編集処理部３０２の表示制御部３１１は、プロフ（プロフィール）入力画面をタブレット内蔵モニタ１３１に表示させる。プロフ入力画面には、利用者に対する質問（利用者の状態を問う質問）を表す文章と、その質問に対する回答の候補（選択肢）とが表示される。
【０１１１】
図１４は、プロフ入力画面の例を示す図である。
【０１１２】
図１４に示されるプロフ入力画面の中央上方には、「今日は誰と撮った？」という利用者同士の関係を問う質問を表す文章が表示され、その下方には、質問に対する回答（利用者の関係）を表す選択肢としての回答ボタン３３１乃至３３３が表示される。回答ボタン３３１は、上述の質問に対する回答が「友達２人」であるときに選択されるボタンであり、回答ボタン３３２は、上述の質問に対する回答が「友達３人以上」であるときに選択されるボタンである。また、回答ボタン３３３は、上述の質問に対する回答が「彼氏彼女」、すなわちカップルであるときに選択されるボタンである。
【０１１３】
図１４に示されるプロフ入力画面において、利用者によって、回答ボタン３３１乃至３３３のいずれかが選択され、入力受付部３１２がその選択を受け付けると、表示制御部３１１は、利用者によって選択された回答ボタンで表される回答に応じた質問を表すプロフ入力画面を、タブレット内蔵モニタ１３１に表示させる。
【０１１４】
具体的には、回答ボタン３３１または３３２が選択された場合、すなわち、利用者同士の関係が友達である場合、図１５に示されるプロフ入力画面がタブレット内蔵モニタ１３１に表示される。
【０１１５】
図１５に示されるプロフ入力画面の中央上方には、「今日は何をするの？」という利用者の行動目的を問う質問を表す文章が表示され、その下方には、質問に対する回答（利用者の行動目的）を表す選択肢としての回答ボタン３４１，３４２が表示される。回答ボタン３４１は、上述の質問に対する回答が「デート」であるときに選択されるボタンであり、回答ボタン３４２は、上述の質問に対する回答が「誕生日」であるときに選択されるボタンである。
【０１１６】
このように、利用者同士の関係が友達である場合には、利用者の行動目的として、「デート」および「誕生日」のいずれかが選択可能とされる。
【０１１７】
また、利用者の行動目的を問う質問に対する回答として、上述した「デート」や「誕生日」に加え、期間限定のイベントを用意するようにしてもよい。具体的には、利用者が写真シール作成装置１を利用している当日（以下、利用日という）が、１０月１２日乃至１０月３１日のいずれかである場合には「ハロウィン」を、１２月１日乃至１２月２５日のいずれかである場合には「クリスマス」を、１２月２５日乃至１月３１日のいずれかである場合には「お正月」を、２月１日乃至２月１４日のいずれかである場合には「バレンタイン」を、それぞれ回答として用意するようにする。
【０１１８】
例えば、利用日が１０月３０日である場合には、図１５に示されるプロフ入力画面に代えて、図１６Ａに示されるプロフ入力画面が表示される。図１６Ａに示されるプロフ入力画面には、質問に対する回答を表す選択肢として、回答ボタン３４１，３４２に加え、上述の質問に対する回答が「ハロウィン」であるときに選択される回答ボタン３４３が表示される。
【０１１９】
なお、上述した期間限定のイベントの期間外であって、その期間に入る数日前には、図１６Ｂに示されるように、回答ボタン３４３が表示される位置に、まもなく期間限定のイベントが選択できるようになる旨の表示がなされるようにしてもよい。
【０１２０】
一方、図１４に示されるプロフ入力画面において、回答ボタン３３３が選択された場合、すなわち、利用者同士の関係がカップルである場合、図１７に示されるプロフ入力画面がタブレット内蔵モニタ１３１に表示される。
【０１２１】
図１７に示されるプロフ入力画面の中央上方には、「今日は何をするの？」という利用者の行動目的を問う質問を表す文章が表示され、その下方には、質問に対する回答（利用者の行動目的）を表す選択肢としての回答ボタン３５１乃至３５３が表示される。回答ボタン３５１は、上述の質問に対する回答が「デート」であるときに選択されるボタンであり、回答ボタン３５２は、上述の質問に対する回答が「誕生日」であるときに選択されるボタンである。また、回答ボタン３５３は、上述の質問に対する回答が「記念日」であるときに選択されるボタンである。  
【０１２２】
このように、利用者同士の関係がカップルである場合には、利用者の行動目的として、「デート」および「誕生日」に加え、「記念日」のいずれかが選択可能とされる。
【０１２３】
なお、利用者同士の関係がカップルである場合にも、利用者同士の関係が友達である場と同様に、利用者の行動目的を問う質問に対する回答として、上述した「デート」、「誕生日」、および「記念日」に加え、期間限定のイベントを用意するようにしてもよい。
【０１２４】
例えば、利用日が１０月３０日である場合には、図１７に示されるプロフ入力画面に代えて、図１８Ａに示されるプロフ入力画面が表示される。図１８Ａに示されるプロフ入力画面には、質問に対する回答を表す選択肢として、回答ボタン３５１乃至３５３に加え、上述の質問に対する回答が「ハロウィン」であるときに選択される回答ボタン３５４が表示される。
【０１２５】
なお、期間限定のイベントの期間外であって、その期間に入る数日前には、図１８Ｂに示されるように、回答ボタン３５４が表示される位置に、まもなく期間限定のイベントが選択できるようになる旨の表示がなされるようにしてもよい。
【０１２６】
以上のようにして表示されるプロフ入力画面において、利用者によって、利用者の行動目的を表す回答ボタンのいずれかが選択され、入力受付部３１２がその選択を受け付けると、処理はステップＳ５２に進む。なお、以上のように、プロフ入力画面において、利用者によって選択される回答は、利用者の人数に関わらず１つのみとされる。
【０１２７】
また、上述した例では、プロフ入力画面において表示される、利用者に対する質問の数は２つと少ないので、その質問に対する回答の候補を、利用者に入力させるようにしてもよい。
【０１２８】
ステップＳ５２において、表示制御部３１１は、おなまえ入力画面をタブレット内蔵モニタ１３１に表示させる。おなまえ入力画面には、利用者それぞれの名前を入力させるためのキーやボタン等が表示される。
【０１２９】
このとき、図１４に示されるプロフ入力画面において、回答ボタン３３１または３３３が選択された場合、利用者は友達２人かカップルであるので、２人分の名前の入力を受け付け可能とするおなまえ入力画面が表示される。また、図１４に示されるプロフ入力画面において、回答ボタン３３２が選択された場合、利用者は友達３人以上であるので、例えば３人分の名前の入力を受け付け可能とするおなまえ入力画面が表示される。
【０１３０】
ステップＳ５３において、編集処理部３０２は、撮影処理において、beautyコースによって撮影が行われたか否かを判定する。
【０１３１】
ステップＳ５３において、beautyコースによって撮影が行われたと判定された場合、ステップＳ５４において、表示制御部３１１は、背景選択画面をタブレット内蔵モニタ１３１に表示させる。背景選択画面には、背景の色の選択を促すメッセージとともに、各種の色や柄の画像が背景画像として複数表示される。
【０１３２】
背景画像は、撮影画像に写る利用者の背景として用いられる画像である。上述したように、beautyコースによる撮影はクロマキー用カーテンを下ろした状態で行われる。beautyコースによる撮影処理が行われた後の編集処理においては、クロマキー処理によって利用者の背景に背景画像が合成された撮影画像が編集対象の画像として用いられる。
【０１３３】
なお、ここでは、撮影画像の枚数分、例えば５枚の背景画像が利用者によって選択される。また、背景画像として、所定のテーマに沿った背景画像が５枚セットになったセット背景が表示され、選択されるようにしてもよい。
【０１３４】
ステップＳ５５において、合成処理部３１３は、記憶部２０２から、例えば５枚の撮影画像を読み出し、それぞれの撮影画像と背景画像とを合成する。すなわち、合成処理部３１３は、撮影画像において、利用者の背景領域を抽出し、抽出した領域に背景画像を合成するクロマキー処理を、各撮影画像を対象として行う。
【０１３５】
一方、ステップＳ５３において、beautyコースによって撮影が行われなかった、すなわち、edgyコースによって撮影が行われたと判定された場合、ステップＳ５４，Ｓ５５の処理はスキップされる。
【０１３６】
ステップＳ５６において、表示制御部３１１は、編集画面をタブレット内蔵モニタ１３１に表示させる。編集画面には、背景画像が合成された撮影画像、または記憶部２０２から読み出された撮影画像が表示される。
【０１３７】
図１９は、編集画面の例を示す図である。
【０１３８】
編集画面は、基本的に、主な構成が左右対象に設けられることによって構成される。左半分の領域である領域４０２Ｌは、タブレット内蔵モニタ１３１に向かって左側にいる利用者により用いられる領域であり、右半分の領域である領域４０２Ｒは、タブレット内蔵モニタ１３１に向かって右側にいる利用者により用いられる領域である。中央の領域４０１には編集処理の残り時間等が表示される。なお、図１９の各領域を囲む破線は画面に実際に表示されるものではない。
【０１３９】
領域４０２Ｌの中央上方のサムネイル画像表示領域４１１Ｌは、撮影画像を表すサムネイル画像の表示領域である。利用者（タブレット内蔵モニタ１３１に向かって左側にいる利用者）は、サムネイル画像表示領域４１１Ｌに表示されているサムネイル画像を選択することによって、編集対象とする撮影画像を選択することができる。
【０１４０】
図１９の例においては、５枚の撮影画像を表すサムネイル画像Ｐ１乃至Ｐ５が撮影順に並べてサムネイル画像表示領域４１１Ｌに表示され、左端のサムネイル画像Ｐ１が選択されることによって、１枚目の撮影画像が編集対象とされている。
【０１４１】
領域４０２Ｌの略中央に形成された比較的大きな編集領域４１２Ｌは、編集対象として選択された撮影画像の表示領域である。図１９の例においては、サムネイル画像表示領域４１１Ｌからサムネイル画像Ｐ１が選択されることによって、１枚目の撮影画像が表示されている。利用者は、タッチペン１３２Ａを用いて編集ツールを選択し、編集領域４１２Ｌに表示された撮影画像の編集を行うことができる。
【０１４２】
編集領域４１２Ｌの左側のペンパレット表示領域４１３Ｌは、手書き入力に用いられるペン画像（ペンツール）の選択に用いられるペンパレットの表示領域である。ペンパレット表示領域４１３Ｌには、ペン画像の線の種類、太さ、色の選択に用いられるボタンが複数表示される。ペンパレット表示領域４１３Ｌのペンパレットは、編集画面が表示されている間、常時表示される。
【０１４３】
ここで、図２０を参照して、ペンパレット表示領域４１３Ｌに表示されるペンパレットの詳細について説明する。
【０１４４】
図２０に示されるように、ペンパレットは、ペン見本表示部４１３ａ、ペンアイコン表示部４１３ｂ、ペンサイズ選択ボタン４１３ｃ、文字うえ／文字した選択ボタン４１３ｄ、およびペンカラーパレット４１３ｅから構成される。
【０１４５】
このようなペンパレットにおいて、利用者によって、ペンアイコン表示部４１３ｂからペンの線種が選択され、ペンサイズ選択ボタン４１３ｃからペンの太さが選択され、ペンカラーパレット４１３ｅからペンの色が選択されると、選択された線種、太さ、および色のペン画像の見本が、ペン見本表示部４１３ａに表示される。
【０１４６】
また、文字うえ／文字した選択ボタン４１３ｄが選択されることで、ペン画像が他の編集ツール（合成用画像）の上下のいずれに合成されるかが選択される。
【０１４７】
ペンアイコン表示部４１３ｂにおいては、選択されている線種のアイコンに選択アンカが表示され、ペンサイズ選択ボタン４１３ｃにおいては、選択されている太さのボタンがハイライト表示される。また、文字うえ／文字した選択ボタン４１３ｄにおいては、選択されているボタンがハイライト表示され、ペンカラーパレット４１３ｅにおいては、選択されている色のパレットにチェックマークが表示される。
【０１４８】
なお、最初に編集画面が表示されたデフォルトの状態では、図２０に示されるように、ペンアイコン表示部４１３ｂにおいて最も左上の線種が選択され、ペンサイズ選択ボタン４１３ｃにおいて中間の太さが選択され、文字うえ／文字した選択ボタン４１３ｄにおいて「文字うえ」が選択され、ペンカラーパレット４１３ｅにおいて最も左下の色（例えば黒色）が選択されているものとする。
【０１４９】
また、ペンパレットにおいて、所定の線種、太さ、色、およびペン画像の上下が選択されている状態で、後述する編集用パレットにおいて、他の編集ツールが選択された場合、ペンアイコン表示部４１３ｂにおける選択アンカの表示、ペンサイズ選択ボタン４１３ｃ、および、文字うえ／文字した選択ボタン４１３ｄにおけるハイライト表示は非アクティブとなるが、ペンカラーパレット４１３ｅにおけるチェックマークは表示されたままとする。
【０１５０】
なお、ペンパレットと編集用パレットとが交互に選択された場合であっても、ペンパレットにおいて選択されている線種や太さ等や、編集用パレットにおいて選択されているカテゴリ等は、直前に選択された状態に保たれているものとしてもよいし、最初に編集画面が表示されたデフォルトの状態に戻るようにしてもよい。
【０１５１】
なお、ペンパレット表示領域４１３Ｒにおいても、同様にして、上述したペンパレットが表示される。
【０１５２】
図１９の説明に戻り、編集領域４１２Ｌの下の編集用パレット表示領域４１４Ｌは、スタンプ画像等の各種の編集ツール（合成用画像）の選択に用いられる編集用パレットの表示領域である。編集用パレットに表示される合成用画像は「PROF-select」、「ROUGH-design」、「HIGH-design」のカテゴリ毎に分かれており、それぞれのカテゴリ名が付されたタブを選択することによって、編集用パレット表示領域４１４Ｌに表示させる合成用画像を切り替えることができるようになされている。
【０１５３】
図１９の例においては、「ROUGH-design」タブが選択され、「ROUGH-design」のカテゴリに属する合成用画像の選択ボタンが表示されている。
【０１５４】
領域４０１の一発落書きボタン４１６Ｌは、一発落書きを行うときに操作されるボタンである。一発落書きとは、編集作業（落書き）に慣れていない利用者や、編集作業を簡単に済ませたい利用者に、予め設定された内容の編集作業を、１回の操作で行わせる機能である。一発落書きボタン４１６Ｌが操作されることにより、予め決められた複数の合成用画像が一括して撮影画像に合成されるようになる。
【０１５５】
タブレット内蔵モニタ１３１に向かって右側にいる利用者が使う領域４０２Ｒには、以上のような領域４０２Ｌの構成と同じ構成が位置を対称にして配置される。図１９の例においては、サムネイル画像表示領域４１１Ｒからサムネイル画像Ｐ４を選択することによって、４枚目の撮影画像が編集対象とされている。
【０１５６】
なお、編集用パレット表示領域４１４Ｌ，４１４Ｒの編集用パレットに表示されるスタンプ画像等の各種の合成用画像は、プロフ入力画面において利用者により選択された回答に応じて変更される。
【０１５７】
具体的には、編集用パレットにおいて「PROF-select」タブが選択された場合、編集用パレットには、プロフ入力画面において利用者により選択された回答、すなわち、利用者の状態に応じたスタンプ画像が表示されるようになる。ここで、以下においては、編集用パレット表示領域４１４Ｌ，４１４Ｒをそれぞれ区別せず、単に、編集用パレット表示領域４１４という。
【０１５８】
図２１は、編集用パレット表示領域４１４に表示される、「PROF-select」タブが選択された編集用パレットの例を示している。
【０１５９】
図２１に示されるように、「PROF-select」のカテゴリが選択された編集用パレットに表示される合成用画像は「NAME」、「MESSAGE」、「STAMP」の小カテゴリ毎に分かれており、それぞれの小カテゴリ名が付されたタブを選択することによって、編集用パレット表示領域４１４に表示させる合成用画像をさらに切り替えることができるようになされている。
【０１６０】
図２１の例では、「NAME」タブが選択されており、プロフ入力画面において、利用者同士の関係を問う質問に対する回答として「友達２人」が選択され、利用者の行動目的を問う質問に対する回答として「デート」が選択され、おなまえ入力画面において、利用者２人分の名前が入力された場合の合成用画像が表示されている。
【０１６１】
具体的には、図２１の例では、友達２人の利用者それぞれの名前「あき（AKI）」および「きのこ（KINOKO）」のいずれかまたは両方を含むスタンプ画像の他、利用者それぞれの名前に加え、利用者２人が友達であることを表す文言「We are best FRIENDS」、「suki suki→FRIEND!!!」、「LOVE LOVE FRIENDS」をそれぞれ含むスタンプ画像や、利用者２人がデート中であることを表す文言「DATE NOW」を含むスタンプ画像が表示されている。
【０１６２】
図２２は、「PROF-select」のカテゴリが選択された編集用パレットの他の例を示している。
【０１６３】
図２２の例では、「NAME」タブが選択されており、プロフ入力画面において、利用者同士の関係を問う質問に対する回答として「友達３人以上」が選択され、利用者の行動目的を問う質問に対する回答として「デート」が選択され、おなまえ入力画面において、利用者４人分の名前が入力された場合の合成用画像が表示されている。
【０１６４】
具体的には、図２２の例では、友達４人の利用者それぞれの名前「あき（AKI）」、「きのこ（KINOKO）」、「なつみ（NATSUMI）」、および「どうむ（DOME）」のいずれかまたは全てを含むスタンプ画像の他、利用者それぞれの名前に加え、利用者４人が友達であることを表す文言「We are best FRIENDS」、「suki suki→FRIEND!!!」、「＝TODAY'S MEMBER」をそれぞれ含むスタンプ画像、利用者４人がデート中であることを表す文言「DATE NOW」を含むスタンプ画像が表示されている。
【０１６５】
このように、プロフ入力画面（図１４）において、利用者同士の関係を問う質問に対して、利用者により選択された回答と、プロフ入力画面（図１５または図１７）において、利用者の行動目的を問う質問に対して、利用者により選択された回答、さらには、おなまえ入力画面において入力された利用者の名前に応じて、「PROF-select」タブが選択され、「NAME」タブが選択された編集用パレットに表示されるスタンプ画像が変更される。
【０１６６】
なお、図２１および図２２に示される編集用パレットに表示されるスタンプ画像は、全て利用者同士の関係に応じたスタンプ画像のみからなるものとするが、他のスタンプ画像が混在していてもよい。
【０１６７】
図２３は、「PROF-select」のカテゴリが選択された編集用パレットのさらに他の例を示している。
【０１６８】
図２３の例では、「MESSAGE」タブが選択されており、プロフ入力画面において、利用者同士の関係を問う質問に対する回答として「友達２人」または「友達３人以上」が選択され、利用者の行動目的を問う質問に対する回答として「誕生日」が選択された場合の合成用画像が表示されている。
【０１６９】
具体的には、図２３の例では、利用者同士が友達であることを表す文言「BEST FRIENDS」、「なかよしちゃーん」をそれぞれ含むスタンプ画像の他、利用日（１月２３日）が利用者いずれかの誕生日であることを表す文言を含むスタンプ画像や、バースデーケーキを模したスタンプ画像、さらに、写真シール作成装置１が設置されている施設がある地域である「京都」を表す文言を含むスタンプ画像が表示されている。なお、利用日は、所定のタイミングで表示される日付入力画面に対して、利用者が任意の日付を入力することで設定されるようにしてもよい。
【０１７０】
図２４は、「PROF-select」のカテゴリが選択された編集用パレットのさらに他の例を示している。
【０１７１】
図２４の例では、「MESSAGE」タブが選択されており、プロフ入力画面において、利用者同士の関係を問う質問に対する回答として「彼氏彼女」が選択され、利用者の行動目的を問う質問に対する回答として「誕生日」が選択された場合の合成用画像が表示されている。
【０１７２】
具体的には、図２４の例では、利用者同士がカップルであることを表す文言「BEST COUPLE」、「だーいすき」をそれぞれ含むスタンプ画像の他、利用日（１月２３日）が利用者いずれかの誕生日であることを表す文言を含むスタンプ画像や、バースデーケーキを模したスタンプ画像、さらに、写真シール作成装置１が設置されている施設がある地域である「京都」を表す文言を含むスタンプ画像が表示されている。
【０１７３】
このように、プロフ入力画面（図１４）において、利用者同士の関係を問う質問に対して、利用者により選択された回答と、プロフ入力画面（図１５または図１７）において、利用者の行動目的を問う質問に対して、利用者により選択された回答とに応じて、「PROF-select」タブが選択され、「MESSAGE」タブが選択された編集用パレットに表示されるスタンプ画像が変更される。
【０１７４】
なお、図２３および図２４に示される編集用パレットに表示されるスタンプ画像は、全て利用者同士の関係と利用者の行動目的とに応じたスタンプ画像のみからなるものとするが、他のスタンプ画像が混在していてもよい。
【０１７５】
また、図示はしないが、「PROF-select」タブが選択され、「STAMP」タブが選択された編集用パレットに表示されるスタンプ画像もまた、プロフ入力画面（図１４）において、利用者同士の関係を問う質問に対して、利用者により選択された回答や、プロフ入力画面（図１５または図１７）において、利用者の行動目的を問う質問に対して、利用者により選択された回答に応じて変更される。
【０１７６】
例えば、利用者同士の関係を問う質問に対する回答として、「彼氏彼女」が選択された場合には、「STAMP」タブが選択された編集用パレットに表示されるスタンプ画像として、ハート形状のスタンプ画像が多く表示されるようにする。
【０１７７】
さらに、利用者の行動目的を問う質問に対する回答として、期間限定のイベントである「ハロウィン」が選択された場合には、「STAMP」タブが選択された編集用パレットに表示されるスタンプ画像として、ハロウィンにちなんだキャラクターのスタンプ画像が表示されたり、「クリスマス」が選択された場合には、クリスマスにちなんだ装飾やサンタクロースのスタンプ画像が表示されるようにする。
【０１７８】
また、利用者の行動目的を問う質問に対する回答として、「記念日」が選択された場合には、例えば「MESSAGE」タブが選択された編集用パレットに、利用日を含むスタンプ画像が表示されるようにする。なお、「記念日」としての日付は、利用者によって利用日から変更されるようにしてもよい。
【０１７９】
これにより、利用者は、その日一緒にいる相手や、その日に訪れている場所等にあった編集ツールを用いて編集作業を行うことができ、最終的に得られる画像を思い出深いものとすることができる。
【０１８０】
なお、「ROUGH-design」または「HIGH-design」のカテゴリが選択された編集用パレットには、プロフ入力画面において、利用者の状態を問う質問に対して、利用者により選択された回答によらない固定のスタンプ画像のみが表示される。すなわち、利用者の状態に応じた合成用画像のみからなる編集用パレットとは別に、利用者の状態によらない合成用画像のみからなる編集用パレットが表示される。
【０１８１】
さて、図１３のフローチャートに戻り、ステップＳ５７において、合成処理部３１３は、利用者による編集入力に従って撮影画像の編集、すなわち、利用者によって選択された合成用画像の合成（貼り付け）を行う。
【０１８２】
ステップＳ５８において、編集処理部３０２は、編集終了か否かを判定し、編集終了ではないと判定した場合、ステップＳ５７に戻り、撮影画像の編集を続ける。撮影画像の編集は、終了ボタンが操作されるまで、または制限時間が経過するまで続けられる。
【０１８３】
一方、ステップＳ５８において、編集終了であると判定された場合、ステップＳ５９において、表示制御部３１１は、分割数選択画面をタブレット内蔵モニタ１３１に表示させる。分割数選択画面には、最終的に出力されるシール紙における、編集済み画像の配置を決定するためのシールレイアウトが表示される。
【０１８４】
分割数選択画面から所定のシールレイアウトが選択されると、ステップＳ６０において、編集処理部３０２は、利用者により選択されたシールレイアウトのシール紙イメージを、記憶部２０２に記憶させる。その後、図１２のステップＳ４に戻り、それ以降の処理が行われる。
【０１８５】
以上の処理によれば、利用者に編集作業を行わせる際、利用者の状態、具体的には、利用者同士の関係や利用者の行動目的に応じた合成用画像が提供されるようになる。
【０１８６】
一般的に、写真シール機の利用者は、編集作業を行う際に、利用者自身の名前を始め、利用者同士の関係や利用日当日の利用者の行動目的を、ペンツールを用いて手書き入力することが多い。しかしながら、上述の内容を手書き入力していると、時間がかかってしまい、最終的に、利用者は満足する編集作業を行えない恐れがあった。
【０１８７】
一方、上述した編集処理によれば、利用者は、編集作業を行う際に、利用者同士の関係や利用者の行動目的を問う質問に対する回答に応じたスタンプ画像を選択して、編集対象となる撮影画像に合成する（貼り付ける）ことができるので、利用者がよく行う編集作業を、時間をかけることなく行うことができる。このように、本発明の写真シール作成ゲームにおいては、少ない質問数で、厳選された合成用画像を提供することができる上に、利用者が所望する編集作業をより簡単にすることが可能となる。さらに、この場合、最終的に印刷されるシール紙は、より付加価値の高いものとなる。
【０１８８】
さらに、例えば、利用者に具体的な人数の入力作業を行わせるようにした場合、０乃至９の数字を利用者に提示し選択させる必要があり、このことが、利用者に手間をかける恐れがあった。一般的に、写真シール機の利用者としては、友達２人の割合が最も多く、以下、友達３人以上、彼氏彼女（カップル）と続く。したがって、図１４のプロフ入力画面を表示させて回答ボタン３３１乃至３３３のいずれかを選択させることで、大半の利用者に、手間をかけることなく人数の入力作業を行わせることが可能となる。
【０１８９】
なお、以上においては、一発落書きボタン４１６Ｌ（４１６Ｒ）が操作されることにより一発落書きが行われ、予め決められた合成用画像が一括して撮影画像に合成されるものとしたが、その合成用画像が、利用者の状態、具体的には、利用者同士の関係や利用者の行動目的に応じた合成用画像であってもよい。
【０１９０】
これにより、利用者は、利用者がよく行う編集作業を、より時間をかけることなく行うことができ、利用者が所望する編集作業をより一層簡単にすることが可能となる。
【０１９１】
また、以上においては、利用者同士の関係や利用者の行動目的に応じて、編集用パレットに表示される合成用画像が変更されるものとしたが、ペンツールにより手書き入力された内容が変更されるようにしてもよい。例えば、利用者同士の関係を問う質問に対する回答として、「彼氏彼女」が選択された場合には、ペンツールにより手書き入力された円形や楕円形等の閉曲線が、ハート形状に変更されるようにしてもよい。
【０１９２】
さらに、利用者同士の関係や利用者の行動目的に応じて、編集用パレットに表示されるタブ自体が変更されるようにしてもよい。具体的には、利用者同士の関係を問う質問に対する回答として、「友達２人」または「友達３人以上」が選択され、利用者の行動目的を問う質問に対する回答として、「デート」が選択された場合、例えば、「STAMP」タブが、「飲み会」タブや「カラオケ」タブに変更されたり、これらのタブが追加して表示されるようにする。
【０１９３】
この場合、例えば「STAMP」タブに表示されるハート形状のスタンプ画像が、「飲み会」タブにおいては、ビールグラスを模したスタンプ画像に変更されたり、「カラオケ」タブにおいては、マイクを模したスタンプ画像に変更されたりする。
【０１９４】
また、利用者の状態を問う質問として、利用者同士の関係を問う質問と、利用者の行動目的を問う質問の２つの質問が、プロフ入力画面に表示されるものとしたが、他の質問（いつ、誰と、どこで、何を、どうした等を問う質問）が表示されるようにしてもよい。この場合、これらの質問に対する回答に応じた、複数の合成用画像を編集用パレットに表示させることで、利用者は、自身の状態によりマッチした内容の編集作業を行うことができるようになる。
【０１９５】
さらに、利用者の状態を問う質問として、利用者による当該機種の写真シール機の利用回数を問う質問がプロフ入力画面に表示されるようにしてもよい。この場合、その質問に対する回答を表す選択肢として、「初めて」、「２〜５回」、「６回以上」等を選択するための回答ボタンが表示されるようにする。
【０１９６】
そして、当該機種の写真シール機の利用回数を問う質問に対する回答として、「初めて」が選択された場合には、編集用パレットに表示される合成用画像の数を減らしたり、シンプルなものとしたりする。また、当該機種の写真シール機の利用回数を問う質問に対する回答として、「６回以上」が選択された場合には、編集用パレットに表示される合成用画像を増やしたり、複雑なものとしたりする。これにより、利用者は、その機種の写真シール機での操作の慣れ具合に応じて、編集作業を行うことができるようになり、結果として、利用者の満足度を向上させることが可能となる。
【０１９７】
さらにまた、利用者の状態に応じて、利用者が選択可能な背景画像が変更されるようにしてもよい。
【０１９８】
例えば、利用者同士の関係を問う質問に対する回答として、「友達２人」または「友達３人以上」が選択された場合、利用者はいずれも女性であることが多いので、利用者が選択可能な背景画像として、女性が好む色（例えばピンク色）の背景画像をより多くして、背景選択画面に表示させるようにする。また、利用者同士の関係を問う質問に対する回答として、「彼氏彼女」が選択された場合、「Best Couple!!」等の文言を含む背景画像や、同様の文言を含むフレーム画像とセットになった背景画像を、背景選択画面に表示させるようにする。
【０１９９】
この場合、利用者の状態に応じた背景画像がセットになったセット背景が表示され、利用者に選択されるようにしてもよい。
【０２００】
また、従来、SNS(Social Networking Service)やブログ等、近況を報告するサービス（コミュニティともいう）を提供するサイトに投稿するための画像として、写真シール機において撮影された複数の撮影画像が組み合わされ、利用者の名前や写真シール機の設置場所、機種名、日付等の情報が付加されたSNS用画像を、そのサイトのサーバに送信することが行われている。
【０２０１】
そこで、本発明においては、SNS用画像に付加される情報として、利用者の状態に応じた情報（文字を表す画像）が付加されるようにしてもよい。これにより、SNS用画像のような、利用者の携帯端末等に表示される画像の編集作業をも、より簡単にすることが可能となる。
【０２０２】
さらに、編集画面に対する編集入力時に、利用者によるタッチペン１３２Ａ，１３２Ｂの操作が一定時間ない場合には、利用者の状態を問う質問と、その質問に対する回答の選択肢を含むポップアップ画面が表示されるようにしてもよい。
【０２０３】
例えば、ポップアップ画面に、「ケーキは好き？」という質問を表す文章と、その回答の選択肢として、「ＹＥＳ」または「ＮＯ」を選択するための回答ボタンが表示されるようにする。ここで、「ＹＥＳ」の回答ボタンが選択された場合には、編集用パレットに表示される合成用画像が、ケーキを模した合成用画像に変更され、「ＮＯ」の回答ボタンが選択された場合には、新たな質問を表す文章が表示されるようにする。
【０２０４】
さらに、ポップアップ画面に、「職業（学年）は？」という質問を表す文章と、その回答の選択肢として、「中学生」、「高校生」、「大学生」、「社会人」等を選択するための回答ボタンが表示されるようにしてもよい。この場合、選択された回答の内容と、利用者により選択された合成用画像とを表す情報がサーバに送信されて蓄積されるようにし、編集処理時に、写真シール作成装置１とサーバとが通信を行うことにより、利用者の職業（学年）毎に、利用頻度の高い合成用画像が、編集用パレットに表示されるようにしてもよい。
【０２０５】
これにより、利用者は、自身と同世代の利用者がよく行う編集作業を、時間をかけることなく行うことができ、利用者が所望する編集作業をより簡単に、かつ、より面白みのあるものにすることが可能となる。
【０２０６】
なお、上述のポップアップ画面に表示される質問と、その質問に対する回答は、図１４乃至図１８に示されるようなプロフ入力画面に表示されるようにしてもよい。
【０２０７】
また、以上においては、プロフ入力画面は、編集処理において表示されるものとしたが、撮影処理において表示されてもよいし、撮影処理前に行われる事前接客処理において表示されるようにしてもよい。
【０２０８】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２０９】
この記録媒体は、例えば、図９に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０２１０】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２１１】
以上において、印刷媒体は、シール紙や写真紙に限られるものではなく、例えば、所定のサイズの紙やフィルム、ポスター用の紙、テレホンカードなどのカード、あるいは、Ｔシャツなどの布地などに印刷するようにしてもよい。
【０２１２】
また、本発明の実施の形態は、上述した実施の形態に限定されるものではなく、本発明の要旨を逸脱しない範囲において種々の変更が可能である。
【符号の説明】
【０２１３】
１  写真シール作成装置
１１  撮影ユニット
１２  編集ユニット
２０１  制御部
２０８  撮影部
２０９  編集部
３０２  編集処理部
３１１  表示制御部
３１２  入力受付部
３１３  合成処理部
【図１】
2015034941.tif 000003
【図２】
2015034941.tif 000004
【図３】
2015034941.tif 000005
【図４】
2015034941.tif 000006
【図５】
2015034941.tif 000007
【図６】
2015034941.tif 000008
【図７】
2015034941.tif 000009
【図８】
2015034941.tif 000010
【図９】
2015034941.tif 000011
【図１０】
2015034941.tif 000012
【図１１】
2015034941.tif 000013
【図１２】
2015034941.tif 000014
【図１３】
2015034941.tif 000015
【図１４】
2015034941.tif 000016
【図１５】
2015034941.tif 000017
【図１６】
2015034941.tif 000018
【図１７】
2015034941.tif 000019
【図１８】
2015034941.tif 000020
【図１９】
2015034941.tif 000021
【図２０】
2015034941.tif 000022
【図２１】
2015034941.tif 000023
【図２２】
2015034941.tif 000024
【図２３】
2015034941.tif 000025
【図２４】
2015034941.tif 000026